(57)【特許請求の範囲】
【請求項１】
プラグ（１０）とこのプラグ（１０）が差込係合されるソケット（２０）とを備え、
前記プラグ（１０）は、基部（１１）と、前記基部（１１）から突起した脚部（１２）と、前記脚部（１２）の先端に形成された係合部（１４）と、を有し、
前記ソケット（２０）は、差込口（２２）を有する本体（２１）と、前記本体（２１）内に形成されて前記差込口（２２）から差し込まれた前記脚部（１２）を収容可能な収容空間（２３）と、前記本体（２１）に形成されて前記係合部（１４）が係合可能な被係合部（２４）と、前記係合部（１４）と前記被係合部（２４）との係合を脱離させる操作部（２７Ａ）と、を有し、
前記プラグ（１０）と前記ソケット（２０）とが扁平形状であり、前記脚部（１２）は扁平であるとともに、前記係合部（１４）を前記被係合部（２４）に対し前記厚み方向に係合可能とする程度の厚み方向の可撓性を有し、前記係合部（１４）は、前記脚部（１２）の幅方向に突出され、かつ前記脚部（１２）の厚み範囲内に設置され、
前記脚部（１２）は、前記脚部（１２）の表面のうち前記基部（１１）から前記係合部（１４）までの部分が、前記脚部（１２）の差込方向へ向かうに連れて前記プラグ（１０）の表側へ向けて斜めに突出していることを特徴とするフロントリリースバックル。
【請求項２】
請求項１に記載のフロントリリースバックルにおいて、
前記プラグ（１０）と前記ソケット（２０）とが係合されている状態において、前記操作部（２７Ａ）と前記係合部（１４）とが当接可能に配置され、
前記操作部（２７Ａ）は、厚み方向に前記脚部（１２）と対向する位置に設けられ、前記厚み方向に可撓性を有し、さらに、前記ソケット（２０）内側に凸部（２７Ｂ）を有することを特徴とするフロントリリースバックル。
【請求項３】
請求項１または請求項２に記載のフロントリリースバックルにおいて、
前記係合部（１４）は、前記操作部（２７Ａ）側に傾斜面（１４Ａ，１４Ｃ）が設けられた傾斜部（１４Ｂ，１４Ｄ）を有し、
前記操作部（２７Ａ）が前記係合部（１４）側に撓むことで、前記凸部（２７Ｂ）が前記傾斜面（１４Ａ，１４Ｃ）を押圧することを特徴とするフロントリリースバックル。
【請求項４】
請求項３に記載のフロントリリースバックルにおいて、
前記傾斜面（１４Ａ，１４Ｃ）の角度が１５°であることを特徴とするフロントリリースバックル。
【請求項５】
請求項１から請求項４までのいずれか一項に記載のフロントリリースバックルにおいて、
前記基部（１１）から突起した前記プラグ（１０）と前記ソケット（２０）とを位置決め保持する一対の保持部（１６）を有することを特徴とするフロントリリースバックル。
【発明の詳細な説明】
【技術分野】
【０００１】
本発明は、正面部分を操作することで係合が解除されるフロントリリースバックルに関する。
【背景技術】
【０００２】
従来、衣服、鞄や靴、包装具など様々な用途でベルト等の紐状部材同士を連結するために、プラグとソケットとを着脱自在に係合させるバックルが用いられている。
このようなバックルでは、着脱のための操作が簡単であり、一方で意図しないときに不用意に外れないことが要求される。このような要求に応じた製品として、正面部分を操作することで係合が解除されるフロントリリースバックルが利用されている。【０００３】
フロントリリースバックルには、プラグ部分とソケット部分とが、それぞれ係合して固定されるタイプのものが知られている。
例えば、特許文献１には、プラグ部分の凸状の係合部であるロッキング・ラグが扁平形状のバックルの厚み方向に突出したバックルが記載されている。
特許文献２には、プラグの先端にソケットと係合する第１凸部が扁平形状のバックルの厚み方向に突出したバックルが記載されている。
【先行技術文献】
【特許文献】
【０００４】
【特許文献１】特許第３２４８１０４号
【特許文献２】特開２００６−２０４６１９号公報
【発明の概要】
【発明が解決しようとする課題】
【０００５】
特許文献１および特許文献２に記載のバックルでは、ロッキング・ラグがバックルの厚み方向に突出しているので、バックルの厚み寸法が大きくなってしまう。このため、例えば、このようなバックルをリュックサックなどに利用する場合、バックルの厚みが大きいため取り付け位置に制約が課されたり、リュックサック全体の意匠性に悪影響を及ぼしたりといった問題が生じる。【０００６】
そこで、本発明の目的は、厚み寸法を小さく抑えることができるフロントリリースバックルを提供することとした。
【課題を解決するための手段】
【０００７】
本発明のフロントリリースバックルでは、プラグとこのプラグが差込係合されるソケットとを備え、前記プラグは、基部と、前記基部から突起した脚部と、前記脚部の先端に形成された係合部と、を有し、前記ソケットは、差込口を有する本体と、前記本体内に形成されて前記差込口から差し込まれた前記脚部を収容可能な収容空間と、前記本体に形成されて前記係合部が係合可能な被係合部と、前記係合部と前記被係合部との係合を脱離させる操作部と、を有し、前記プラグと前記ソケットとが扁平形状であり、前記脚部は扁平であるとともに、前記係合部を前記被係合部に対し前記厚み方向に係合可能とする程度の厚み方向の可撓性を有し、前記係合部は、前記脚部の幅方向に突出され、かつ前記脚部の厚み範囲内に設置され、前記脚部は、前記脚部の表面のうち前記基部から前記係合部までの部分が、前記脚部の差込方向へ向かうに連れて前記プラグの表側へ向けて斜めに突出していることを特徴とする。
【０００８】
このような発明では、プラグの係合部が厚み方向ではなく、幅方向に突出しているので、プラグおよび係合部を収容するソケットの厚み寸法を小さくできる。このため、バックルの厚み寸法が大きくなることがなく、厚み寸法を小さくすることができる。例えば、このような厚み寸法が小さいフロントリリースバックルをリュックサックなどに利用する場合、バックルの厚みが小さいので取り付ける位置に制約が課されない。さらに、厚み寸法が小さいため、バックルが目立たず、引っ掛かりが生じることなく、リュックサックなどの全体の意匠性に悪影響を及ぼすおそれもない。
また、このような発明では、脚部が保持部より操作部側へと基部から突出しているので、操作部を押圧した際、僅かな撓みで係合部を押圧することができる。このため、フロントリリースバックルの厚み寸法を小さくしても、操作部によるプラグとソケットとの分離、押し出しが行える。よって、フロントリリースバックルの厚み寸法をより小さくすることができる。
【０００９】
本発明において、前記プラグと前記ソケットとが係合されている状態において、前記操作部と前記係合部とが当接可能に配置され、前記操作部は、厚み方向に前記脚部と対向する位置に設けられ、前記厚み方向に可撓性を有し、さらに、前記ソケット内側に凸部を有することが望ましい。【００１０】
このような発明では、操作部を係合部側に撓ませることで、凸部が脚部に押圧される。このとき、係合部と被係合部との係合が解除されるので、脚部をソケットの差込口側へと押し出すことができる。【００１１】
本発明において、前記係合部は、前記操作部側に傾斜面が設けられた傾斜部を有し、前記操作部が前記係合部側に撓むことで、前記凸部が前記傾斜面を押圧することが望ましい。【００１２】
このような発明では、操作部を係合部側に撓ませることで、凸部が傾斜面に押圧される。このとき、凸部が傾斜面を滑走しながら係合部側へと撓むので、係合部は被係合部との係合が解除されるとともにソケットの差込口側へと押し出されることになる。このため、操作部を押圧することで、プラグがソケットから分離して押し出される。よって、操作部を押圧するだけで、確実にプラグとソケットを分離することができる。【００１３】
本発明において、前記傾斜面の角度が１５°であることが望ましい。
このような発明では、傾斜面の角度が１５°であるので、凸部が傾斜面を円滑に滑走することができる。このため、操作部を押圧することで、プラグがソケットから分離して円滑に押し出される。よって、操作部を押圧するだけで、より確実にプラグとソケットを分離することができる。【００１４】
本発明において、前記基部から突起した前記プラグと前記ソケットとを位置決め保持する一対の保持部を有することが望ましい。
このような発明では、プラグとソケットとを位置決め保持する一対の保持部を有するので、係合部と被係合部との係合が確実に行える。また、例えば、プラグとソケットに捻り応力が加わった際、プラグとソケットとが位置ずれしないため、係合部と被係合部との係合が解除されるおそれがなく、確実に係合を維持し、バックルとしての機能を果たすことができる。
【図面の簡単な説明】
【００１６】
【図１】本発明の一実施形態にかかる全体構成を示す平面図。
【図２】前記実施形態の全体構成を示す側面図。
【図３】前記実施形態の全体構成を示す正面図。
【図４】前記実施形態のプラグを示す平面図。
【図５】前記実施形態のプラグを示す側面図。
【図６】前記実施形態のソケットを示す平面図。
【図７】前記実施形態のソケットを示す側面図。
【図８】前記実施形態のソケットを示す正面図。
【図９】前記実施形態のソケットの操作部を示す断面図。
【図１０】前記実施形態のプラグおよびソケットの連結状態を示す断面図。
【図１１】前記実施形態のプラグおよびソケットの連結途中の状態を示す断面図。
【図１２】前記実施形態の操作部の撓みにより係合部が押し出される状態を示す拡大断面図。
【図１３】本発明の他の実施形態のプラグを示す平面図。
【図１４】本発明の他の実施形態のプラグを示す平面図。
【図１５】本発明の他の実施形態のプラグを示す平面図。
【図１６】本発明の他の実施形態のプラグを示す平面図。
【発明を実施するための形態】
【００１７】
以下、本発明の実施形態を図面に基づいて説明する。
図１ないし図１２には本発明の一実施形態が示されている。
図１から図３に基づいてフロントリリースバックルの全体構成について説明する。
図１は、本発明の一実施形態にかかる全体構成を示す平面図である。図２は、前記実施形態の全体構成を示す側面図である。図３は、前記実施形態の全体構成を示す正面図である。
【００１８】
図１から図３の各図に示すように、本実施形態のフロントリリースバックル１は、プラグ１０とこのプラグ１０が差込係合されるソケット２０とを備えている。
これらの各図に示すように、本実施形態のフロントリリースバックル１は、紐状部材、たとえば、ベルトなどの端部を連結・分離するためのものであり、合成樹脂によって一体成形されたプラグ１０と、同様に合成樹脂で一体成形されたソケット２０とを備えている。
なお、プラグ１０およびソケット２０の材質としては、合成樹脂に限らず金属など他の材質であってもよく、射出成形に限らず光造形、鋳造など他の成形方法によるものであってもよい。
【００１９】
図４および図５に基づいてプラグの構成について説明する。
図４は、前記実施形態のプラグを示す平面図である。図５は、前記実施形態のプラグを示す側面図である。
図４および図５において、プラグ１０は、合成樹脂の射出成形により全体を一体成形されたものであり、一対の脚部１２を有する基部１１と、脚部１２にそれぞれ形成された係合部１４と、ベルトなどが挿通されるベルト装着部１９を有する。
脚部１２は、基部１１の幅方向（ソケット２０に対するプラグ１０の差込方向およびソケット２０の厚み方向とそれぞれ直交する方向、図１における左右方向）に並列して長さ方向（ソケット２０に対するプラグ１０の差込方向、図１における上下方向）へ延びて互いに平行とされ、各々は中間ないし先端側が互いに厚み方向（前述した幅方向および差込方向とそれぞれ直交する方向）へ弾性変形可能とされている。
また、一対の脚部１２は、それぞれ差込方向へ向かうに連れて操作部２７Ａ側へ近接するように傾斜しており、これにより脚部１２の全体で厚み方向へ弾性変形する力を受けることができる。
【００２０】
係合部１４は、脚部１２の先端からそれぞれ幅方向に延びる突起で形成され、それぞれの脚部１２の先端は平面から見た場合に丁字状となっている。また、係合部１４は、脚部１２の先端部に形成されており、係合部１４の厚み方向の寸法（高さ）が脚部１２の高さよりも大きくならないように形成されている。
さらに、係合部１４は、それぞれの脚部１２の先端部に形成された傾斜部１４Ｂと、これらの傾斜部１４Ｂを幅方向に連結する連結傾斜部１４Ｄとを備えている。この連結傾斜部１４Ｄにより一対の脚部１２は外力で幅方向への変形を規制されている。さらに、一対の脚部１２は、厚み方向へ弾性変形する際、連結傾斜部１４Ｄによりそれぞれの脚部１２が同じ変形量となるようになっている。
また、傾斜部１４Ｂおよび連結傾斜部１４Ｄは、差込方向の先端側へ向けて厚み寸法が小さくなるように緩やかに傾斜した傾斜面１４Ａと、連結傾斜面１４Ｃとをそれぞれ備えている。
【００２１】
図５に示すように、一対の脚部１２の外側には、一対の保持部１６が設置されている。一対の保持部１６は、基部１１から幅方向にそれぞれ離間して配置され差込方向へ延びる柱状の部材であって、その先端が係合部１４と離間している。この保持部１６の厚み寸法は、基部１１の厚み寸法より小さく、かつ脚部１２の厚み寸法より大きく形成されている。
また、保持部１６は、その幅方向外側に沿って設けられた凸状の保持凸部１６Ａを有する。
これらの係合部１４および保持部１６は、ソケット２０の内側に形成された凹凸形状（後述）により案内され、これらの案内により差込操作の際にプラグ１０が適切な位置へと誘導されるようになっている。
【００２２】
また、図４に示すように、ベルト装着部１９は、基部１１の中間部分を利用して形成されている。このベルト装着部１９は、内部中央にベルトの端部が挿入されるベルト取付孔１９Ａを有し、プラグ１０の端部でかつ基部１１の端部である位置に幅方向へ延びる第１バー１９Ｂが架設され、ベルト取付孔１９Ａの中間には第２バー１９Ｃが架設され、この第２バー１９Ｃによってベルト取付孔１９Ａは差込方向前端側１９Ｄと差込方向後端側１９Ｅとの２つに分割されている。
これにより、図示しないベルトをベルト取付孔１９Ａに挿通させて第２バー１９Ｃの周囲に周回させ、第１バー１９Ｂにベルトが当接されることにより、ベルトを係合して固定可能でかつ長さ調節も可能な構造となっている。
【００２３】
図１および図６から図８に基づいてソケットの構成について説明する。
図６は前記実施形態のソケットを示す平面図である。図７は、前記実施形態のソケットを示す側面図。図８は、前記実施形態のソケットを示す正面図である。
図１および図６から図８において、ソケット２０は、合成樹脂の射出成形により全体を一体成形されたものであり、差込口２２を有する中空筒状の本体２１と、この本体２１内に形成されて差込口２２から差し込まれたプラグ１０の脚部１２を収容可能な収容空間２３と、本体２１に形成されて係合部１４が係合可能な被係合部２４と、本体２１の平面中央に形成された操作用開口２７と、プラグと係合された場合に係合部に対応する位置に形成された開口部２８と、図示しないベルトが挿通されるベルト装着部２９とを有する。
【００２４】
被係合部２４は、収容空間２３の内側の幅方向に離間して並ぶ２箇所に形成された差込口２２側向きに傾斜面を有するくさび形状部材である。それぞれの被係合部２４は、本体２１の表面の内側に形成され、収容空間２３に突出している。
これらの被係合部２４の厚み寸法は、収容空間２３の厚み方向の寸法より小さく形成され、一対の脚部１２に形成される係合部１４に対応している。
【００２５】
収容空間２３の内側には、係合部１４を被係合部２４へと誘導して係合させるための誘導面２５が形成されている。
この誘導面２５は、差込口２２の端部から差込方向へ複数の一対の溝部２６が形成されている。この溝部２６は、脚部１２および保持部１６が差込口２２から差し込まれた際に、図示しない脚部１２の裏面側に形成された凸状部が、溝部２６と対応して脚部１２の先端の係合部１４を被係合部２４へと誘導するガイドとして機能する。
【００２６】
図９に基づいてソケットの操作部の構成について説明する。
図９は、前記実施形態のソケットの操作部を示す断面図である。
図９に示すように、係合部１４と被係合部２４との係合を解除するために、本体２１の平面中央には操作用開口２７が形成されている。この操作用開口２７は、内部の収容空間２３に連通している。
操作用開口２７は、差込口２２から差し込まれた脚部１２を連結する連結傾斜部１４Ｄを露出させる位置に形成されている。
この操作用開口２７には、押圧されることにより厚み方向へ弾性する可撓性部材である操作部２７Ａが設けられている。この操作部２７Ａは、脚部１２と対向する位置に設けられ、弾性変形することで連結傾斜部１４Ｄに当接するようになっている。そして、操作部２７Ａには、連結傾斜部１４Ｄと当接する箇所に厚み方向内側へ突出した凸部２７Ｂが設けられ、この凸部２７Ｂと対応する位置に厚み方向外側に厚肉部２７Ｃが設けられている。
【００２７】
図９から図１２に基づいてプラグとソケットとが連結される様子および連結された状態、ならびに、連結されたプラグとソケットとが係合を解除される様子を説明する。
図１０は、前記実施形態のプラグおよびソケットの連結状態を示す断面図である。図１１は、前記実施形態のプラグおよびソケットの連結途中の状態を示す断面図である。図１２は、前記実施形態の操作部の撓みにより係合部が押し出される状態を示す拡大断面図である。
【００２８】
図９および図１１に示すように、差込口２２から差し込まれた脚部１２の先端において、係合部１４は誘導面２５に誘導されて被係合部２４に到達すると、一対の脚部１２が弾性変形して一対の係合部１４がそれぞれ被係合部２４と係合する。
【００２９】
一方、図１０および図１２に示すように、凸部２７Ｂは、連結傾斜部１４Ｄを押圧することで、脚部１２を厚み方向へ弾性変形させると同時に、連結傾斜面１４Ｃの斜面を滑る。これにより、係合部１４が被係合部２４との係合を解除され、かつ、プラグ１０が差込口２２側へと押し出されることとなる。
【００３０】
このような本実施形態においては、以下のような効果が得られる。
本実施形態のフロントリリースバックル１では、プラグ１０の係合部１４が厚み方向ではなく、幅方向に突出しているので、バックルの厚み寸法が大きくなることがなく、厚み寸法を小さくすることができる。このため、例えば、このような厚み寸法が小さいフロントリリースバックル１をリュックサックなどに利用する場合、バックルの厚みが小さいので取り付ける位置に制約が課されない。さらに、厚み寸法が小さいため、バックルが目立たず、リュックサックなどの全体の意匠性に悪影響を及ぼすおそれもない。
【００３１】
本実施形態のフロントリリースバックル１では、操作部２７Ａが係合部１４側に撓むことで、凸部２７Ｂが連結傾斜面１４Ｃを押圧する。このとき、凸部２７Ｂが連結傾斜面１４Ｃを滑走しながら係合部１４側へと撓むので、係合部１４は被係合部２４との係合が解除されるとともにソケット２０の差込口２２側へと押し出されることになる。このため、操作部２７Ａを押圧することで、プラグ１０がソケット２０から分離して押し出される。よって、操作部２７Ａを押圧するだけで、確実にプラグ１０とソケット２０を分離することができる。
【００３２】
本実施形態のフロントリリースバックル１では、連結傾斜面１４Ｃの角度が１５°であるので、凸部２７Ｂが連結傾斜面１４Ｃを円滑に滑走することができる。このため、操作部２７Ａを押圧することで、プラグ１０がソケット２０から分離して円滑に押し出される。よって、操作部２７Ａを押圧するだけで、より確実にプラグ１０とソケット２０を分離することができる。
【００３３】
本実施形態のフロントリリースバックル１では、プラグ１０とソケット２０とを位置決め保持する一対の保持部１６を有するので、係合部１４と被係合部２４との係合が確実に行える。また、例えば、プラグ１０とソケット２０に捻り応力が加わった際、プラグ１０とソケット２０とが位置ずれしないため、係合部１４と被係合部２４との係合が解除されるおそれがなく、確実に係合を維持し、バックルとしての機能を果たすことができる。
【００３４】
本実施形態のフロントリリースバックル１では、脚部１２が保持部１６より操作部２７Ａ側へと基部１１から突出しているので、操作部２７Ａを押圧した際、僅かな撓みで係合部１４を押圧することができる。このため、フロントリリースバックル１の厚み寸法を小さくしても、操作部２７Ａによるプラグ１０とソケット２０との分離、押し出しが行える。よって、フロントリリースバックル１の厚み寸法をより小さくすることができる。
【００３５】
〔変形例〕
なお、本発明は前記実施形態の構造に限らず、次のような変形をも含む。
上記実施形態のように、一対の脚部１２は、連結傾斜部１４Ｄで連結されている構成に限らず、図１３に示すように、連結されずに独立している構成としてもよい。また、このような場合、凸部２７Ｂの幅寸法を大きくすることで、傾斜面１４Ａを押圧するようにするのが好ましい。
【００３６】
また、係合部１４は、脚部１２の先端からそれぞれ幅方向外側に延びる突起で形成される構成に限らず、図１４に示すように、幅方向内側に延びる突起とし、傾斜部１４Ｂが差込方向先端側ではなく反対側に設けられる構成としてもよい。
【００３７】
さらに、係合部１４は、Ｌ字状に形成される必要はなく、図１５に示すように、一つの係合部１４としてもよい。
また、脚部１２は、一対である必要はなく、図１６に示すように、三つの脚部１２から構成されていてもよい。
【産業上の利用可能性】
【００３８】
本発明は、ベルト同士を連結するバックルであって、一対のロックアームを有するフロントリリースバックルとして利用できる。
【符号の説明】
【００３９】
１…フロントリリースバックル
１０…プラグ
１１…基部
１２…脚部
１４…係合部
１４Ａ…傾斜面
１４Ｂ…傾斜部
１６…保持部
２０…ソケット
２１…本体
２２…差込口
２３…収容空間
２４…被係合部
２７Ａ…操作部
２７Ｂ…凸部
【図１】
0005552534.tif 000002
【図２】
0005552534.tif 000003
【図３】
0005552534.tif 000004
【図４】
0005552534.tif 000005
【図５】
0005552534.tif 000006
【図６】
0005552534.tif 000007
【図７】
0005552534.tif 000008
【図８】
0005552534.tif 000009
【図９】
0005552534.tif 000010
【図１０】
0005552534.tif 000011
【図１１】
0005552534.tif 000012
【図１２】
0005552534.tif 000013
【図１３】
0005552534.tif 000014
【図１４】
0005552534.tif 000015
【図１５】
0005552534.tif 000016
【図１６】
0005552534.tif 000017